(57)【要約】【課題】操作画面上で、同時タイミングで複数の操作端を操作することができるプラントオペレーション技術を提供する。【解決手段】プラントオペレーション装置１０は、ネットワーク１１に接続されるとともにプラント１２の操作端１３（１３ａ，１３ｂ，１３ｃ，１３ｄ）の動作を制御する制御部１４と、ネットワーク１１に接続された端末部１５の表示部１６に表示されるとともに操作対象となる操作端１３を選択する選択信号を出力する選択ボタンと、表示部１６に表示されるとともに操作対象として選択された操作端１３の動作を設定する設定信号を出力する設定ボタンと、表示部１６に表示されるとともに操作対象の操作端１３に対し各々の設定信号３２を同時に出力させる実行信号を出力する実行ボタンと、を備えている。【選択図】  図１
2013254335.tif 000002
【特許請求の範囲】
【請求項１】
ネットワークに接続されるとともにプラントの操作端の動作を制御する制御部と、
前記ネットワークに接続された端末部の表示部に表示されるとともに操作対象となる前記操作端を選択する選択信号を出力する選択ボタンと、
前記表示部に表示されるとともに前記操作対象として選択された前記操作端の動作を設定する設定信号を出力する設定ボタンと、
前記表示部に表示されるとともに前記操作対象の前記操作端に対し各々の前記設定信号を同時に出力させる実行信号を出力する実行ボタンと、を備えることを特徴とするプラントオペレーション装置。
【請求項２】
請求項１に記載のプラントオペレーション装置において、
前記選択信号及び前記設定信号の第１論理積を出力し、この第１論理積及び前記実行信号の第２論理積を出力し、この第２論理積を前記操作端の動作回路に入力させる論理回路を備えることを特徴とするプラントオペレーション装置。
【請求項３】
請求項１又は請求項２のいずれか１項に記載のプラントオペレーション装置において、
前記論理回路は、前記端末部又は前記制御部に設けられことを特徴とするプラントオペレーション装置。
【請求項４】
請求項１から請求項３のいずれか１項に記載のプラントオペレーション装置において、
前記表示部は、前記操作端の系統をイラストで表示するとともに系統の異なる複数の前記イラストの中から選択をするメニューを表示することを特徴とするプラントオペレーション装置。
【請求項５】
請求項１から請求項４のいずれか１項に記載のプラントオペレーション装置において、
前記表示部は、複数の前記操作端を各々の属性情報で識別したグループを表示するとともに互いに異なる複数の前記グループの中から選択をするメニューを表示することを特徴とするプラントオペレーション装置。
【請求項６】
ネットワークに接続される制御部によりプラントの操作端の動作を制御するステップと、
前記ネットワークに接続された端末部の表示部に表示される選択ボタンにより操作対象となる前記操作端を選択する選択信号を出力するステップと、
前記表示部に表示される設定ボタンにより前記操作対象として選択された前記操作端の動作を設定する設定信号を出力するステップと、
前記表示部に表示される実行ボタンにより前記操作対象の前記操作端に対し各々の前記設定信号を同時に出力させる実行信号を出力するステップと、を含むことを特徴とするプラントオペレーション方法。
【発明の詳細な説明】
【技術分野】
【０００１】
本発明は、プラントを構成する操作端の操作についてのプラントオペレーション技術に関する。
【背景技術】
【０００２】
近年のプラントオペレーション装置は、操作性の向上を目的として、操作対象となる機器が、目的に応じて分類・整理されて、液晶モニタ等の操作画面に表示される。
そして、この操作画面に対し、マウスやトラックボール等のポインティングデバイスを用いて操作を行う。
【０００３】
操作画面にはプラントの操作対象となる操作端が１つ以上割り付けられている。
そして、操作画面に表示される操作ボタンにポインティングデバイスのカーソルの位置を合わせて、対応する操作端の操作が行われる。
このようにして操作した結果は、操作画面に表示される文字、記号又は表示色を変化させることにより、オペレータに通知される（例えば、特許文献１）。
【先行技術文献】
【特許文献】
【０００４】
【特許文献１】特開２００９−１９３１９５号公報
【発明の概要】
【発明が解決しようとする課題】
【０００５】
これまでのプラントオペレーションでは、ポインティングデバイスのカーソルを、操作画面の操作ボタンに位置合わせする必要があるために、一度に一つの操作ボタンしか操作することができなかった。このために、操作画面において複数の操作端を、同時タイミングで操作することは困難であった。
【０００６】
本発明はこのような事情を考慮してなされたもので、操作画面において複数の操作端を、同時タイミングで操作することができるプラントオペレーション技術を提供することを目的とする。
【課題を解決するための手段】
【０００７】
プラントオペレーション装置において、ネットワークに接続されるとともにプラントの操作端の動作を制御する制御部と、前記ネットワークに接続された端末部の表示部に表示されるとともに操作対象となる前記操作端を選択する選択信号を出力する選択ボタンと、前記表示部に表示されるとともに前記操作対象として選択された前記操作端の動作を設定する設定信号を出力する設定ボタンと、前記表示部に表示されるとともに前記操作対象の前記操作端に対し各々の前記設定信号を同時に出力させる実行信号を出力する実行ボタンと、を備える。
【発明の効果】
【０００８】
本発明により、操作画面において複数の操作端を、同時タイミングで操作することができるプラントオペレーション技術が提供される。
【図面の簡単な説明】
【０００９】
【図１】本発明に係るプラントオペレーション装置を構成する機器の各実施形態を示すブロック図。
【図２】第１実施形態に係るプラントオペレーション装置の論理構成を示すブロック図。
【図３】（Ａ）（Ｂ）は第１実施形態に係るプラントオペレーション装置の操作画面を示すイメージ図。
【図４】第１実施形態に係るプラントオペレーション装置の操作画面を示すイメージ図。
【図５】（Ａ）（Ｂ）は第２実施形態に係るプラントオペレーション装置の操作画面を示すイメージ図。
【図６】第３実施形態に係るプラントオペレーション装置の論理構成を示すブロック図。
【図７】（Ａ）（Ｂ）は第３実施形態に係るプラントオペレーション装置の操作画面を示すイメージ図。
【図８】第３実施形態に係るプラントオペレーション装置の操作端の動作を説明するタイミングチャート。
【図９】第４実施形態に係るプラントオペレーション装置の操作画面を示すイメージ図。
【発明を実施するための形態】
【００１０】
（第１実施形態）
以下、本発明の実施形態を添付図面に基づいて説明する。
ここで、図１は、プラントオペレーション装置１０の機器構成を示し、図２はその論理構成を示している。
図１に示すように、プラントオペレーション装置１０は、ネットワーク１１に接続されるとともにプラント１２の操作端１３（１３ａ，１３ｂ，１３ｃ，１３ｄ）の動作を制御する制御部１４と、ネットワーク１１に接続された端末部１５の表示部１６に表示されるとともに操作対象となる操作端１３を選択する選択信号３１（図２）を出力する選択ボタン２１（図４）と、表示部１６に表示されるとともに操作対象として選択された操作端１３の動作を設定する設定信号３２（３２ａ,３２ｂ）（図２）を出力する設定ボタン２２（２２ａ,２２ｂ）（図４）と、表示部１６に表示されるとともに操作対象の操作端１３に対し各々の設定信号３２を同時に出力させる実行信号３３（図２）を出力する実行ボタン２３（図４）と、を備えている。
【００１１】
さらに図２に示すように、プラントオペレーション装置１０は、選択信号３１及び設定信号３２（３２ａ,３２ｂ）の第１論理積３４（３４ａ,３４ｂ）を出力し、この第１論理積３４及び実行信号３３の第２論理積３５（３５ａ,３５ｂ）を出力し、この第２論理積３５を操作端１３の動作回路３６に入力させる論理回路３０を備えている。
【００１２】
この論理回路３０を構成するＡＮＤ演算子３７は、ソフトウェアで実現される場合も、ハードウェアで実現される場合も含まれる。
さらに、論理回路３０は、機器構成上、端末部１５又は制御部１４のいずれに設けられる場合も含まれる。
【００１３】
図３は、第１実施形態における表示部１６（図１）に表示される操作画面４０のイメージ図である。
図３（Ａ）に示すように、操作画面４０には、操作端１３（図１）の系統が、イラスト４１（４１ａ，４１ｂ，４１ｃ）で表示されている。
【００１４】
さらに、図３（Ｂ）に示すように、操作画面４０には、表示されるイラスト４１が異なる複数の系統図４２の中からいずれか一つを選択するメニュー４３が表示される。
つまり、図３（Ａ）の操作画面４０は、系統図メニュー４３の中から系統図（２）を選択した結果表示されたものである。
その他の系統図（１）（ｎ）が選択されることにより、図３（Ａ）とは異なる系統のイラストが操作画面４０に表示されることになる。
【００１５】
図４に基づいて、第１実施形態のプラントオペレーション装置の操作手順を説明する。
オペレータは、系統図メニュー４３（図３（Ｂ））の中から、着目する系統図を選択し、操作画面４０に表示させる。
そして、操作対象とする操作端１３（図１）のイラスト４１をポインティングデバイス（図示略）で指し示すと、対応する選択ボタン２１及び設定ボタン２２（２２ａ，２２ｂ）を含むプレート４４が表示される。
【００１６】
図４では、操作対象とする操作端１３として開閉弁１３ｂ（図２）が選択されているので、その設定ボタン２２は、この開閉弁の開動作を指示する開ボタン２２ａとその閉動作を指示する閉ボタン２２ｂとから構成される。
なお、操作対象とする操作端１３としてポンプ１３ａ（図２）が選択された場合は、その設定ボタン２２は、このポンプの起動を指示する起動ボタン２２ａとその停止を指示する停止ボタン２２ｂとから構成される。
【００１７】
表示させた各々のプレート４４（４４ａ，４４ｂ）に示される選択ボタン２１を選択することにより操作対象となる操作端１３（図１）を選択し、設定ボタン２２（２２ａ，２２ｂ）によりこの操作端１３の動作を設定する。
なお、この設定ボタン２２（２２ａ，２２ｂ）は、プレート４４が表示された時点において、操作端１３（図１）の状態が反映された設定を示すとともに、互いに排他的に設定される。
【００１８】
また、この選択ボタン２１を操作画面４０に表示させず、イラスト４１をポインティングデバイスで選択した時点をもって、該当する操作端１３（図１）を自動的に操作対象にしてもよい。
この場合、該当する操作端１３が選択されているか否かについては、イラスト４１の色等を変更することによって識別できるようにしてもよい。
【００１９】
操作対象となる複数の操作端１３（図１）のそれぞれのプレート４４（４４ａ，４４ｂ）に対し、設定ボタン２２（２２ａ，２２ｂ）の切替設定及び選択ボタン２１の選択を、順次行う。
操作対象となる全ての操作端に対応するプレート４４の設定の完了後、実行ボタン２３を押すことにより、これら操作対象となる全ての操作端１３（図１）の設定が同時に切り替わる。
【００２０】
（第２実施形態）
図５は、第２実施形態における表示部１６（図１）に表示される操作画面４０のイメージ図である。なお、図５において図３又は図４と共通の構成又は機能を有する部分は、同一符号で示し、重複する説明を省略する。
図５（Ａ）に示すように、操作画面４０には、属性情報４６（４６ａ，４６ｂ，４６ｃ，４６ｄ）により操作端１３（図１）が互いに識別されたグループを表示している。この操作画面４０において属性情報４６は、単にアルファベット「ａ」「ｂ」「ｃ」「ｄ」で示されているが、操作端１３の機器名称やその他の詳細情報を示す場合もある。
【００２１】
そして、各々の操作端の属性情報４６に対応して選択ボタン２１及び設定ボタン２２（２２ａ,２２ｂ）が表示されている。
さらに、図５（Ｂ）に示すように、操作画面４０には、表示される操作端の属性情報４６の組み合わせがそれぞれ相違する複数のグループ４７の中からいずれか一つを選択するメニュー４８が表示される。
【００２２】
各々のグループ４７は、プラントにおいて想定される特定の事象に対し影響を及ぼす操作端１３を任意に登録して構成される。第２実施形態の操作画面４０は、操作対象となる操作端１３（図１）の群が、第１実施形態のイラスト４１（図４）で全体表示できるほど互いに近接配置されていない場合、または操作対象となる操作端１３（図１）の数が多い場合にも適している。
【００２３】
（第３実施形態）
図６に示すように第３実施形態に係るプラントオペレーション装置１０は、選択ボタン２１（２１ａ，２１ｂ，２１ｃ）が、設定ボタン２２（図２参照）の役割も兼ねて、一つにまとめて表示されている。
つまり、第３実施形態における選択ボタン２１は、図２に示される選択信号３１及び設定信号３２（３２ａ，３２ｂ）の第１論理積３４（３４ａ，３４ｂ）が出力されるのと等価の動作をする。
【００２４】
そして、論理回路３０において、第１論理積３４及び実行信号３３の第２論理積３５は、操作端１３の動作回路３６を予め定められた手順で変化させる操作プログラム３８を起動させる。
なお、図６において図２と共通の構成又は機能を有する部分は、同一符号で示し、重複する説明を省略する。
【００２５】
図７は、第３実施形態における表示部１６（図１）に表示される操作画面４０を示すイメージ図である。
図７（Ａ）に示すように、操作画面４０には、操作端１３（図１）の系統がイラスト４１（４１ａ，４１ｂ，４１ｃ）で表示されている。
【００２６】
さらに、各々のイラスト４１（４１ａ，４１ｂ，４１ｃ）に対応して、選択ボタン２１（２１ａ，２１ｂ，２１ｃ）及び設定ボタン２２（２２ａ，２２ｂ，２２ｃ）を含むプレート４４（４４ａ，４４ｂ，４４ｃ）が表示されている。
そして、図７（Ｂ）に示すように、操作画面４０には、各々のプレート４４の設定ボタン２２で設定される操作プログラムのメニュー４９が表示される。
【００２７】
図７に基づいて、第３実施形態のプラントオペレーション装置の操作手順を説明する。
オペレータは、系統図メニュー４３（図３（Ｂ））の中から、着目する系統図を選択し、操作画面４０に表示させる。
そして、操作対象とする操作端１３（図１）のイラスト４１をポインティングデバイス（図示略）で指し示すと、対応する選択ボタン２１及び設定ボタン２２（２２ａ，２２ｂ，２２ｃ）を含むプレート４４が表示される。
【００２８】
表示させた各々のプレート４４（４４ａ，４４ｂ，４４ｃ）に示される選択ボタン２１により操作対象となる操作端のイラスト４１を選択する。そして、設定ボタン２２（２２ａ，２２ｂ，２２ｃ）で、メニュー４９の中から起動させる操作プログラムの割付を行なう。
【００２９】
また、この選択ボタン２１は、操作画面４０に表示させず、イラスト４１をポインティングデバイスで選択した時点で該当する操作端１３（図１）を自動的に操作対象にしてもよい。
この場合、該当する操作端１３が選択されているか否かについては、イラスト４１の色等を変更することによって識別できるようにしてもよい。
【００３０】
操作対象となる複数の操作端１３（図１）のそれぞれのプレート４４（４４ａ，４４ｂ）に対し、設定ボタン２２（２２ａ，２２ｂ，２２ｃ）における操作プログラムの割付及び選択ボタン２１（２１ａ，２１ｂ，２１ｃ）の選択を、順次行う。
操作対象となる全ての操作端に対応するプレート４４の設定の完了後、実行ボタン２３を押すことにより、各々の操作端１３（図１）は、設定された操作プログラムに従って、切り替え動作する。
【００３１】
図８に示されるタイミングチャートに従い第３実施形態における操作端の動作を説明する。
実行ボタン２３を押す前の初期状態は、操作端ａが閉状態、操作端ｂが開状態、操作端ｃが閉状態を示している。
【００３２】
そして、実行ボタン２３を押した瞬間から時間Ｘが経過するまでは、各々の操作端ａ，ｂ，ｃは、初期状態を維持している。
さらに、この時間Ｘが経過した後は、操作端ａが開状態、操作端ｂが閉状態を、時間Ｙだけ維持する。操作端ｃは、時間Ｙをかけて、閉から開に連続変化する状態を示す。
【００３３】
第３実施形態によれば、それぞれの操作端１３（図１）における動作タイミングに若干のずれが必要である場合、操作端１３（図１）を時間に対して連続的な動作をさせたい場合、操作端１３（図１）を時間に対して複数回の切替動作をさせたい場合等に一回の実行ボタン２３の操作で対応することができる。
【００３４】
（第４実施形態）
図９は、第４実施形態における表示部１６（図１）に表示される操作画面４０のイメージ図である。なお、図９において図５と共通の構成又は機能を有する部分は、同一符号で示す。
また、第４実施形態のプラントオペレーション装置は、操作画面４０が変更した点を除き、第３実施形態（図６）と同じ機器構成を有するので、重複する説明を省略する。
さらに、第４実施形態の操作画面４０は、第２実施形態（図５）と同様の機能をもつので、重複する説明を省略する。
【００３５】
以上述べた少なくともひとつの実施形態のプラントオペレーション装置によれば、一回のボタン操作により、複数の操作端を同時に動作させることが可能となる。
【００３６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更、組み合わせを行うことができる。これら実施形態やその変形は、発明の範囲や要旨に含まれると同様に、特許請求の範囲に記載された発明とその均等の範囲に含まれるものである。
また、プラントオペレーション装置の構成要素は、コンピュータのプロセッサで実現することも可能であり、プラントオペレーションプログラムにより動作させることが可能である。
【符号の説明】
【００３７】
１０…プラントオペレーション装置、１１…ネットワーク、１２…プラント、１３（１３ａ，１３ｂ，１３ｃ，１３ｄ）…操作端（ポンプ，開閉弁）、１４…制御部、１５…端末部、１６…表示部、２１（２１ａ，２１ｂ，２１ｃ）…選択ボタン、２２（２２ａ，２２ｂ，２２ｃ）…設定ボタン（開ボタン，起動ボタン，停止ボタン，閉ボタン）、２３…実行ボタン、３０…論理回路、３１…選択信号、３２…設定信号、３３…実行信号、３４（３４ａ,３４ｂ）…第１論理積、３５（３５ａ,３５ｂ）…第２論理積、３６…動作回路、３７…ＡＮＤ演算子、３８…操作プログラム、４０…操作画面、４１（４１ａ，４１ｂ，４１ｃ）…イラスト、４２…系統図、４３…系統図メニュー、４４…プレート、４６（４６ａ，４６ｂ，４６ｃ，４６ｄ）…属性情報、４７…グループ、４８…グループメニュー、４９…操作プログラムメニュー。
【図１】
2013254335.tif 000003
【図２】
2013254335.tif 000004
【図３】
2013254335.tif 000005
【図４】
2013254335.tif 000006
【図５】
2013254335.tif 000007
【図６】
2013254335.tif 000008
【図７】
2013254335.tif 000009
【図８】
2013254335.tif 000010
【図９】
2013254335.tif 000011